(57)【要約】　　　（修正有）【課題】特に打撃者が打撃をした際に、ボ−ルが天井や、壁、窓や打撃者にボ−ルが当る危険性を防ぐことを目的とした装置を提供する。【解決手段】打球受けネット本体１、ボ−ル収納受け皿７、打球遮断ネットカーテン８、打球台１０を順に位置させて、この本体は金属製支持枠とネットにより構成し、ネットは適性打球の消音や緩衝効果を生じ、特にひどい打ち損じ打球は、打撃台１０のネット１５等によりボ−ルを補足、緩衝するするようにした。【選択図】図５
2004065627.tif 000002
【特許請求の範囲】
【請求項１】
適切なゴルフの打球が室内の打球受入ネット本体１に向かい打ち出されると共に、打撃台の前面には飛球遮断ネットカ−テン３を設け、その飛球遮断ネットカ−テンの前方に、打撃台を設けた室内ゴルフ練習装置。
【請求項２】
前記打球受入ネット本体１の左右と後部の打球受入れネット１ａは、それぞれ棒鋼と網状体よりなり、前方、後方の各部は楕円形上に連結され、各上端部は横軸体２ａにより連結され、前面開口部２の下方底部２ｃには、人工芝生２ｄが粟設される室内ゴルフ練習装置。
【請求項３】
前項記載の人工芝生２ｄに続いて、打球散乱防止、打球の衝突防止の打球収集用受け皿７及び人工芝生２ｄと衝撃吸収ゴム板６から成る打球誘導スロ−プ６ａが設けられた室内ゴルフ練習装置
【請求項４】
打撃台１０は飛球遮断ネットカ−テン中央部の通孔９またはネットカ−テン方向に適正に打撃させることを目的とした打撃台である請求項１に記載の室内ゴルフ練習装置。
【発明の詳細な説明】
【０００１】
【発明の属する技術分野】
本発明は、室内用のゴルフ練習の装置に関する。
【０００２】
【従来の技術】
従来、室内ゴルフ練習装置の多くは、室内の一部に標的を設け、垂れ幕を打球の危険防止幕に垂下し、実行されているもので、飛球が人体や天井等に当り危険が伴うものであった。
【０００３】
【発明が解決しようとする課題】
本発明は、前記従来の技術の問題点に鑑みなされたもので、この室内ゴルフ練習装置によるゴルフ練習に際しては、屋内でのアプロ−チ練習の安全性が確保されると共に、本発明の室内ゴルフ練習装置の設置スペ−スを最小限ならしめることを目的とするものである
【０００４】
【課題を解決するための手段】
上記の目的を達成するために、請求項１に記載の室内ゴルフ練習装置は、適正なゴルフの打球が内部方向に通過可能な通孔及び利用者等の出入り口を有する、室内天井より吊り下げられたネットカ−テンを連接し、そのネットカ−テンの前方には適正にボ−ルを打撃させる構造の打撃台を設けたものである。
【０００５】
請求項１に記載の室内ゴルフ練習装置は、通過可能な通孔を有する飛球遮断ネットカ−テンにつき、前記ネットカ−テンの床体に接する部分は若干延長し打球の散乱の防止を目的として設けたものである。
【０００６】
請求項３に記載の室内ゴルフ練習装置は、請求項１に記載の通過可能な通孔に対峙する２個の打球受けネットが、それぞれ棒鋼よりなり、前方、後方各部の各上端部が楕円形上に連結され、各上端部は横軸体により連結し、前面開口部の下方底部には人工芝生が設けられ、更に前記横軸体より開脚し、後部打球ネットの下方左右基部に至るものである。
【０００７】
請求項４に記載の室内ゴルフ練習装置は、打撃台の枠組は左右に棒鋼で連結され、後部、上部には防護ネットを設け、打撃者側にスィングの邪魔にならない程度に前方にネットを吊り下げ、これらのネットにより打ち損じのボ−ルを捕捉する。
【０００８】
【本発明の実施の形態】
以下、本発明の実施の形態を実施例の図面に基づいて説明する。　　　　　図１は、室内ゴルフの打球受け本体の斜視図であって、１は打球受ネット本体、１ａ防護ネットであり打球受け本体、２、２ａ、２ｂ金属製支持枠で形成され、打球受け金属製枠３は２ａに接する部分の上部に溶接し２ｅ，２ｆの基部かけて傾斜させた打球受け金属製支柱３を設け、金属製支柱３には複数のネットを吊り下げ、打球の負荷に容易に破損しないネットを消音や緩衝させボ−ル５の跳ね返りによる危険性の防止のために複数のネット４吊り下げことが好ましい。
【０００９】
金属製支持枠２、２ａ、２ｂ、３にはゴム等の消音効果のあるのもを巻きつけると更に好ましい。
【００１０】
打球受け金属支柱３に設けたネット４で受け止めたボ−ル５は傾斜された６ａに落ち、打球が戻ってくる機能があり、そのボ−ル５は前方のボ−ル回収受け皿７に集められる。打球受けネットに設けられた、下部の左右はボ−ル５の激突時の消音と衝撃効果をさせるためのゴム６を貼着してある。
【００１１】
図３は、打球遮断ネットカ−テン８は天井８ａよりコの字形に吊り下げる、吊り下げたネットカ−テン８は床面に８ｂのように床に５０ｃｍ程度垂らす方が好ましい。打撃台より打込んだボ−ルが通孔９を通過しないボ−ル５はネットカ−テン８の左右や下部に当り、ボ−ル５の強い打球によってはネットカ−テン８の下部がめくれる恐れがあり、そのめくれるのを垂れたネットカ−テン８の重量により防ぐ目的のためにネットカ−テン８を床面に垂らすように設ける。
【００１２】
通孔９は打球受け本体に打込むための通孔である。９を通孔しないボ−ルは打球遮断ネットカ−テンで８受け止め捕捉する。
【００１３】
図４は、打撃台１０である。１０の基部１１は金属製の板を設け、打ち損なったボ−ル５を捕捉ネット１３、１４を設け、ネット１５はスィングに邪魔にならない程度に、ボ−ル５捕捉用ネットを吊り下げる。１６は消音や緩衝用ゴム板、１７は１６の補強用金属板等を金属製の板に設けた凸部１２に装入し固定する、１８は打撃時にボ−ル５を乗せる人工芝である。
【００１４】
打撃台１０のボ−ル５は矢印２０、２０ａの方向に適正に打撃されるために構成されたものであり、打撃者方向１８、天井方向１８ｃ、１８ｂ，壁や窓方向１８ａ、１８ｂはボ−ル５のそれぞれの打ち損じ方向には、ネット１３、１４、１５により、また、ゴム板によりボ−ルを捕捉、緩衝することができることを特徴とする。
【００１５】
【発明の効果】
本発明は、その構成が簡単であり、以下のような効果を奏する。
（１）その使用にあたっては、時間や気候などの制約を受けずに、室内でゴルフ練習の打込を楽しむことができる。
（２）移動が可能なので、家庭やビルの事務室などを利用して、椅子、机等を片付けることにより打込の室内ゴルフの練習が簡単に楽しむことができ好都合である。
（３）日常。余りゴルフ場へ出かけられないゴルファ−にこの室内ゴルフ練習装置を利用することにより、一段と打込の技量が向上するもので、好都合である。
【図面の簡単な説明】
【図１】図１は、打球受けネット本体
【図２】図２は、ボ−ル受けケ−ス
【図３】図３は、打球遮断ネットカ−テン
【図４】図４は、打撃台
【図５】図５は、室内ゴルフ練習装置全体の側面図
【符号の説明】
１　打球受けネット本体
１ａ　ボ−ル受けネット
２、２ａ、２ｂ　金属製支柱枠
２ｄ　人工芝生
３　正常なボ−ル受け支柱枠
４　正常に打ち込まれたボ−ル受けネット
６　消音ゴム板
７　ボ−ル回収受皿
８　打球遮断ネットカ−テン
８ａ　天井
９　通孔
１０　打撃台
１３、１４、１５　打ち損じボ−ル捕捉ネット
１６　消音用ゴム板
１８、１８ａ、１８ｂ　打ち損じボ−ル軌道
２０、２０ａ　適正なボ−ル軌道
【図１】
2004065627.tif 000003
【図２】
2004065627.tif 000004
【図３】
2004065627.tif 000005
【図４】
2004065627.tif 000006
【図５】
2004065627.tif 000007